(57)【要約】      （修正有）【課題】単純構造で、かつ右利き／左利き、また異なるサイズの手に合わせて本体の角度や長さを簡単、迅速に変更することができる外形形状調節可能なパソコンマウスを提供する。【解決手段】外形形状の調節可能なパソコンマウスは本体と可動筐体からなり、本体はパソコンと有線もしくは無線で接続され、可動筐体は本体の後端部に連結されており、本体、及び可動筐体にそれぞれ設けられた連結部材はマウス本体、及び可動筐体の間にそれぞれ少なくとも２段階に位置調節が可能となる構造を設ける。使用者の利き手や手の大きさによって、外形の角度、及び長さを調節することができるパソコンマウス。【選択図】図２
0003131951.tif 000002
【実用新案登録請求の範囲】
【請求項１】
外形形状調節可能なパソコンマウスにおいて、本体と、可動筐体とから構成し、前記本体はパソコンと有線、もしくは無線で接続し、前記可動筐体は本体の後端部に少なくとも２段階の可動位置を設けて連結することを特徴とする外形形状調節可能なパソコンマウス。
【請求項２】
前記本体にスライド溝、前記可動筐体にスライド軸を有して、該スライド溝内に該スライド軸を配置することを特徴とする請求項１に記載の外形形状調節可能なパソコンマウス。
【請求項３】
前記本体と前記可動筐体の間に位置調節構造を設けることを特徴とする請求項１に記載の外形形状調節可能なパソコンマウス。
【請求項４】
前記本体内に連結部材を備え、この連結部材は本体と可動筐体とを連結させることを特徴とする請求項１に記載の外形形状調節可能なパソコンマウス。
【請求項５】
前記本体と連結部材との間に位置調節構造を設けることを特徴とする請求項４に記載の外形形状調節可能なパソコンマウス。
【請求項６】
外形形状調節可能なパソコンマウスにおいて、本体と可動筐体と連結部材とからなり、前記本体はパソコンと有線、もしくは無線で接続し、前記可動筐体は本体の一端に結合し、前記連結部材は本体と可動筐体の間に設けられ、該連結部材の一端は本体と連結し、該連結部材のもう一端は可動筐体に連結し、この可動筐体は少なくとも２段階の位置調節機能を備えて結合することを特徴とする外形形状調節可能なパソコンマウス。
【請求項７】
前記連結部材にはスライド溝を、前記可動筐体にはスライド軸を有してなり、該スライド溝内に該スライド軸を配置することを特徴とする請求項６に記載の外形形状調節可能なパソコンマウス。
【請求項８】
前記連結部材の該可動筐体側に連結具を備え、該連結具と該連結部材の間にスライド溝を設けることを特徴とする請求項７に記載の外形形状調節可能なパソコンマウス。
【請求項９】
前記連結具と前記可動筐体の間に位置調節構造を設けることを特徴とする請求項８に記載の外形形状調節可能なパソコンマウス。
【請求項１０】
前記位置調節構造は複数の位置調節孔と少なくとも一つの位置調節部材を備えることを特徴とする請求項９に記載の外形形状調節可能なパソコンマウス。
【請求項１１】
前記位置調節部材は球体と該球体に対応するスプリングから構成されることを特徴とする請求項１０に記載の外形形状調節可能なパソコンマウス。
【請求項１２】
前記連結部材と前記本体の間に位置調節構造を設けることを特徴とする請求項６に記載の外形形状調節可能なパソコンマウス。
【請求項１３】
前記位置調節構造は複数の位置調節孔と少なくとも一つの位置調節部材を備えることを特徴とする請求項１２に記載の外形形状調節可能なパソコンマウス。
【考案の詳細な説明】
【技術分野】
【０００１】
本考案は、ポインティングディバイスとして用いられるマウス に関するものであり，特に，左右の利き手や掌のサイズに合わせてマウスの角度や長寸の調節が簡単にできるマウスに関する。考案は、パーソナルコンピュータなどの情報処理装置にデータ入力を行うためのマウス 装置に関する。
【背景技術】
【０００２】
従来、コンピュータの周辺機器のうち、入力装置としてマウスが非常に普及している。一般に本体は楕円形を呈しており、その体積は固定されたものであるため、調節することは不可能である。本体の小型化、軽量化を追求する一方で、手のサイズの比較的大きい使用者層への配慮がなされておらず、使いづらさや誤操作を招いている。
【０００３】
また、従来のマウスは右手左手を問わず使用できるよう、マウス本体は左右対称の形状であるため、一般的な使用状況からいうと、右手左手の操作に関わらず、手とひじを斜めに外方向に向けた状態では、従来のマウスの本体が左右対称の形状であることから、使用者の手のカーブになじまず、最適な把持状態を提供ができないため、長時間の使用により手のひらや腕の関節に不快感を生じやすい。
【０００４】
中華民国特許申請第９３２０３９９４号「改良伸縮マウス構造」、第９２１３５３４７号「伸縮式携帯用マウス外装ケース」などの特許に見られるように、従来の特許製品においても伸縮調節可能な技術を有するマウスの外装ケースが提供されている。
【特許文献１】中華民国特許第９３２０３９９４号
【特許文献２】中華民国特許第９２１３５３４７号
【考案の開示】
【考案が解決しようとする課題】
【０００５】
しかし、特許文献１、２に記載のマウス は主として携帯時の利便性を追求したものであり、マウス使用時の体積調整については考慮されていないため、小型軽量化されたマウスは使用者の手の大きさに適応しておらず、操作性の低下や誤操作を招く問題があった。
【０００６】
また、左右兼用マウスは本体が左右対称に固定された形状であるためフィット感がなく、どちらの手で操作をする場合にも手の角度が考慮されないため、長時間使用すると手のひらや腕の関節に不快感を生じる問題もあった。
【０００７】
本考案は、上記の問題を鑑みて、単純構造で、かつ右利き／左利き、また異なるサイズの手にも対応させて本体の角度や長さを簡単、迅速に変更することができる外形形状調節可能なパソコンマウスの提供を主要な目的とする。
【課題を解決するための手段】
【０００８】
上記課題を解決するために、本考案のマウスの第一の例は本体と、可動筐体とから構成され、本体はパソコンと有線、もしくは無線で接続し、前記可動筐体は本体の後端部に少なくとも２段階の可動位置を設けて結合する外形形状調節可能なパソコンマウスである。
【０００９】
また、本体にはスライド溝、可動筐体にはスライド軸を有して、該スライド溝内に該スライド軸を配置するものである。
【００１０】
また、本体と可動筐体の間に位置調節構造を備えており、本体内に連結部材を設け、この連結部材は本体と可動筐体とにそれぞれ連結する。
【００１１】
また、その本体と該連結部材との間には位置調節構造を設けている。
【００１２】
上記の課題を解決するために、本考案の第二の例においては、本体と可動筐体と連結部材からなるマウスの前記本体がパソコンと有線、もしくは無線で接続し、前記可動筐体は本体の一端に結合し、前記連結部材は本体と可動筐体の間に設けられ、該連結部材の一端は本体と連結し、該連結部材のもう一端は可動筐体に連結し、この可動筐体は少なくとも２段階の位置調節を機能を備えて結合する外形形状調節可能なパソコンマウスである。
【００１３】
また、前記連結部材にはスライド溝を、かつ前記可動筐体にはスライド軸を有しており、該スライド溝内に該スライド軸を配置する。
【００１４】
また、前記連結部材の該可動筐体側に連結具を備え、該連結具と該連結部材の間にスライド溝を設ける。
【００１５】
また、前記連結具と前記可動筐体の間に位置調節構造を設ける。
【００１６】
また、前記位置調節構造は複数の位置調節孔と少なくとも一つの位置調節部材を備えている。
【００１７】
また、前記位置調節部材は球体と該球体に対応するスプリングから構成されている。
【００１８】
また、前記連結部材と前記本体の間にも位置調節構造を設ける。
【００１９】
また、前記位置調節構造は複数の位置調節孔と少なくとも一つの位置調節部材を備える。
【考案の効果】
【００２０】
本考案によれば、使用時に本体部の外形形状を使用者の手の大きさや、操作する左右の手の向きに合わせて、角度や長さの調節ができるので、マウスの操作性を向上させ、手に負担がかからない。
【考案を実施するための最良の形態】
【００２１】
上述の目的及び効果を達成するため、本考案が採用した技術的手段及びその構造について、以下に説明図及び実施例を用いてその特徴と効果を詳細に説明する。
【００２２】
図１、図２が示すように本考案の外形形状調節可能なパソコンマウス１０は本体２０と、可動筐体３０からなり、本実施例における本体２０と可動筐体３０は机などの同一平面状において操作作業を行う。本体２０は上部ケース２１と底部ケース２２から構成され、可動筐体３０もまた、上部ケース３１、及び底部ケース３２から構成される。可動筐体３０は本体２０の後端部に配置される。本体２０の可動筐体３０側は凸状曲面２１１を呈し、可動筐体３０の本体２０側の面は凸状曲面２１１に対応する凹状曲面３１１である。本体２０の上部ケース２１の上部前方にホイール２３を備え、該上部ケース２１と底部ケース２２が構成する空間に電子信号処理回路を設け、本体２０とパソコン（図中未提示）と有線、もしくは無線で接続する。操作方法、及び機能は一般のコンピュータ入力装置と同様であるので、ここでは解説を省略する。
【００２３】
図２、３が示すように、本体２０と可動筐体３０の間に連結部材４０を設け、その連結部材４０は本体２０の上部ケース２１と底部ケース２２の間に配置し、該連結部材４０の底部に複数の位置調節孔４１（図３参照）を設け、その複数の位置調節孔４１は本体２０の縦方向に一列に並んで配置される。図に示された例では等間隔に三つの位置調節孔４１を設けてあるが、ニーズに応じて不等間隔であっても、その他の孔数であってもかまわない。底部ケース２２上において、位置調節孔４１に対応する側に固定部材２４を設ける。該固定部材内にスプリング２５を、そのスプリング２５の上部に球体２６を備え、上に押し上げる弾性作用により、球体２６を位置調節孔４１内に嵌合され、連結部材４０と本体２０を連結することができる。
【００２４】
また、連結部材４０の可動筐体３０側の外面には連結具４２を設けることにより、連結具４２と連結部材４０の間に上下貫通したスライド溝４３が形成される。可動筐体３０の底部ケース３２上におけるスライド溝４３に対応する位置に、スライド軸３４を設け、該スライド軸３４を該スライド溝４３内に嵌合させる。さらに該連結具４２の底部に有する中空部４４において、中空部内にスプリング４５を、スプリング４５の底部に球体４６を設ける。可動筐体３０の底部ケースにおいて球体４６に対応する箇所に複数の位置調節孔３３を設置する。該位置調節孔３３は扇状に配置される。図に示された例では左右対称の等間隔に三つの位置調節孔３３を設けてあるが、弧の角度を変えることにより、マウス本体の角度調節効果が変化するため、ニーズに応じて孔の間隔や数、弧の角度などを変更してもよい。スプリング４５が球体４６を下に押さえつける弾性作用により、球体４６は位置調節孔３３内に嵌合され、可動筐体３０の可動の際やスライド軸３４がスライド溝４３内をスライドする際、また、可動筐体３０の可動する際の安定性などを制御し、また、球体４６と位置調節孔３３の嵌合により、位置が調節される。可動筐体３０は本体２０の後端部に沿って、弧を描くように可動する。このような扇状の動きは可動筐体３０と本体２０とが相互にピン結合、あるいは軸回転結合（pivoting）状態で連結させるためには可動筐体３０は第一の可動位置（もしくはいわゆる中間点）から少なくとも第二の可動位置（左もしくは右側）まで移動させなければならない。実質、第一可動位置を左側と定義し、第二可動位置を右側と定義すれば、中間点を省略することもできる。
【００２５】
図３から図５までが示すように、可動筐体３０が前後に可動する場合、本体２０内の球体２６を異なる位置調整孔４１内に固定し、該連結部材４０（可動筐体３０も同時に）を調節し、可動筐体４０と本体２０の距離を調節することで、本体２０の長寸を伸縮することができる。
【００２６】
図６が示す実施例（図３の状態に相応）は可動筐体３０が本体２０に密着している状態であり、パソコンマウス１０の長寸が最も短い場合である。また、図７の示す実施例（図４の状態に相応）は可動筐体３０が本体２０から離れて外方向に移動している。本体内の球体２６を中央の位置調節孔４１に固定させた状態である。このようにパソコンマウス１０の長寸を伸縮させることができ、同様に、もし可動筐体３０を完全に引き伸ばせば、（図５の状態）パソコンマウス１０は長寸が最長の状態になる。つまり、パソコンマウス１０の長寸の調節は、位置調整孔４１の数と距離の設定によって変化するものである。また、図６、及び図７が示すように、可動筐体３０を移動し左右の角度調節を行う際には、可動筐体３０内の球体４６を異なる位置調整孔３３内に固定することにより、パソコンマウス１０が彎曲状態を形成する。図６、及び図７はそれぞれ球体４６が左右両端の位置調節孔３３内に固定された状態を示している。このようにパソコンマウス１０の長寸と角度の調節ができると、使用者の手のひらの大きさに合わせて、図の実施例が示すような３つの長寸調節孔４１、及び、３つの角度調節孔３３を設けた場合、それぞれの位置の組み合せにより９種類の形状に調節が可能となるので、使用者は各自の手の大きさや左右の利き手などに合わせて自分で調節することができる。
【００２７】
上述の球体２６、４６とスプリング２５、４５からなる位置調節構造は一実施例にすぎず、該球体２６、４６はピンやその他の同様の機能を有する部材に代替可能である。また、該スプリング２５、４５はバネ片やゴム、スポンジなど弾性のあるその他の部材に代替可能である。その他、可動筐体３０と本体２０の外形、及び体積分配などの設計は実際にはパソコンマウス１０のサイズにより変更可能であり、実施例に示された外形のみに限定するものではない。
【００２８】
上述のように本考案の外形形状調節可能なパソコンマウスは、単純構造で、かつ右利き／左利き、また異なるサイズの手に対応させて本体の角度や長さが簡単、迅速に調節することができるマウスである。
【００２９】
なお、上述の説明は本考案の一実施例であり、該実施例は本考案の目的、運用技術手段と構造を説明するための一例にすぎず、本考案の保護範囲を限定するものではない。本考案の説明、および特許請求の範囲で指定した内容に基づいた変更や応用も含め、全て本考案の保護範囲とする。
【図面の簡単な説明】
【００３０】
【図１】本考案のマウス筐体を示す斜視図である。
【図２】本考案のマウス筐体の内部構造を示す分解斜視図である。
【図３】本考案のマウス筐体の長尺調整の構造を示す概略側面図である。
【図４】本考案のマウス筐体の長尺調整の構造を示す概略側面図である。
【図５】本考案のマウス筐体の長尺調整の構造を示す概略側面図である。
【図６】本考案のマウス筐体を異なる尺寸の右手、左手に適応させ、長尺、及び角度を調節した状態を示す平面図である。
【図７】本考案のマウス筐体を異なる尺寸の右手、左手に適応させ、長尺、及び角度を調節した状態を示す平面図である。
【符号の説明】
【００３１】
１０  パソコンマウス
２０  本体
２１  上部ケース
２１１  凸状曲面
２２  底部ケース
２３  ホイール
２４  固定部材
２５  スプリング
２６  球体
３０  可動筐体
３１  上部ケース
３１１  凹状曲面
３２  底部ケース
３３  位置調節孔
３４  スライド軸
４０  連結部材
４１  位置調節孔
４２  連結具
４３  スライド溝
４４  中空部
４５  スプリング
４６  球体
【図１】
0003131951.tif 000003
【図２】
0003131951.tif 000004
【図３】
0003131951.tif 000005
【図４】
0003131951.tif 000006
【図５】
0003131951.tif 000007
【図６】
0003131951.tif 000008
【図７】
0003131951.tif 000009
【手続補正書】
【提出日】平成19年3月13日(2007.3.13)
【手続補正１】
【補正対象書類名】実用新案登録請求の範囲
【補正対象項目名】全文
【補正方法】変更
【補正の内容】
【実用新案登録請求の範囲】
【請求項１】
外形形状調節可能なパソコンマウスにおいて、パソコンと有線、もしくは無線で接続される本体と、該本体の後端部に連結される可動筐体と、前記本体に対し前記可動筐体を少なくとも２段階の可動位置に調節可能な手段を有することを特徴とする外形形状調節可能なパソコンマウス。
【請求項２】
前記本体にスライド溝、前記可動筐体にスライド軸を有して、該スライド溝内に該スライド軸を配置することを特徴とする請求項１に記載の外形形状調節可能なパソコンマウス。
【請求項３】
前記本体と前記可動筐体の間に連結具を有する連結部材を設けることを特徴とする請求項１に記載の外形形状調節可能なパソコンマウス。
【請求項４】
前記本体内に前記本体と前記可動筐体とを連結する連結部材を設けることを特徴とする請求項１に記載の外形形状調節可能なパソコンマウス。
【請求項５】
前記本体と連結部材との間に位置調節孔及び位置調節部材からなる位置調節手段を設けることを特徴とする請求項４に記載の外形形状調節可能なパソコンマウス。
【請求項６】
外形形状調節可能なパソコンマウスにおいて、パソコンと有線、もしくは無線で接続される本体と、該本体の一端に結合される可動筐体と、前記本体と前記可動筐体の間に設けられ、その一端は前記本体に連結し、もう一端は前記可動筐体に連結する連結部材と、前記可動筐体を少なくとも２段階の可動位置に調節可能な手段を有することを特徴とする外形形状調節可能なパソコンマウス。
【請求項７】
前記連結部材にはスライド溝を、前記可動筐体にはスライド軸を有してなり、該スライド溝内に該スライド軸を配置することを特徴とする請求項６に記載の外形形状調節可能なパソコンマウス。
【請求項８】
前記連結部材の該可動筐体側に連結具を備え、該連結具と該連結部材の間にスライド溝を設けることを特徴とする請求項７に記載の外形形状調節可能なパソコンマウス。
【請求項９】
前記連結具と前記可動筐体の間に位置調節孔及び位置調節部材からなる位置調節手段を設けることを特徴とする請求項８に記載の外形形状調節可能なパソコンマウス。
【請求項１０】
前記位置調節手段は複数の位置調節孔と少なくとも一つの位置調節部材を備えることを特徴とする請求項９に記載の外形形状調節可能なパソコンマウス。
【請求項１１】
前記位置調節部材は球体と該球体に対応するスプリングから構成されることを特徴とする請求項１０に記載の外形形状調節可能なパソコンマウス。
【請求項１２】
前記連結部材と前記本体の間に位置調節孔及び位置調節部材からなる位置調節手段を設けることを特徴とする請求項６に記載の外形形状調節可能なパソコンマウス。
【請求項１３】
前記位置調節手段は複数の位置調節孔と少なくとも一つの位置調節部材を備えることを特徴とする請求項１２に記載の外形形状調節可能なパソコンマウス。